(57)【要約】【課題】  簡単な構成で、転写フィルムの弛みの発生を防止することができる転写フィル送り装置を提供する。【解決手段】  転写フィルム送り装置１は、転写フィルム２の送り側ロール３のフィルム量と転写フィルムの巻取り側ロール５のフィルム量とを対比する。そしてこの対比した結果に基づいて、送り側ロール３の回転速度と巻取り側ロール５の回転速度との間に、転写フィルムの張力を制御する速度差を与えて転写フィルムの張力制御を行う。【選択図】図１
2008257303.tif 000002
【特許請求の範囲】
【請求項１】
転写フィルム送り装置であって、
前記転写フィルムの送り側ロールのフィルム量と前記転写フィルムの巻取り側ロールのフィルム量とを対比し、
前記対比した結果に基づいて、前記送り側ロールの回転速度と前記巻取り側ロールの回転速度との間に、前記転写フィルムの張力を制御する速度差を与えて前記転写フィルムの張力制御を行うことを特徴とする転写フィルム送り装置。
【発明の詳細な説明】
【技術分野】
【０００１】
本発明は、縦送り時間を短縮することができる転写フィルム送り装置に関するものである。
【背景技術】
【０００２】
特許第３２１１１８５号（特開平１１−１７５１５７号）には、転写フィルム送り装置の基本的な構成が開示されている。この装置では、転写フィルムの送り側ロールから引き出された転写フィルムを巻き取る巻取り側ロールを縦送りモータで回転させる。転写フィルムには、位置検出用の縦マークが設けられている。縦マーク検出用センサがこの縦マークを検出すると、縦送りモータ駆動装置は、転写フィルムの転写パターンが可動盤と金型との間の所定の停止位置で停止するように、縦送りモータを予め定めた速度指令パターンに従って駆動して、巻取り側ロールを間歇的に回転させる。従来の速度指令パターンは、停止状態から高速度で縦送りモータを回転させ、縦マーク検出用センサが縦マークの存在を検出している検出状態にある期間は、高速度より低い低速度で縦送りモータを回転させ、その後縦マーク検出用センサが縦マークの存在を検出しない非検出状態になると直ちに縦送りモータを停止させるように構成されている。
【０００３】
従来の装置では、巻取り側ロールに巻き取られる転写フィルムの量が多くなってくると、転写フィルムに加わる張力が変動して、転写フィルムに弛みが発生する傾向がある。そこで従来の装置では、転写フィルムの張力を測定するためのポテンショメータと、張力が一定となるように制動力が調整されたパウダークラッチとを用いて、張力の変動を抑制している。
【特許文献１】特許第３２１１１８５号（特開平１１−１７５１５７号）
【発明の開示】
【発明が解決しようとする課題】
【０００４】
しかしながらパウダークラッチの制動力の調整は熟練を要する上、定期的に保守をしない場合には、調整がずれて、張力が変動することになり、その結果、転写フィルムが弛んで、転写がうまくできなくなる問題があった。
【０００５】
本発明の目的は、簡単な構成で、転写フィルムの弛みの発生を防止することができる転写フィル送り装置を提供することにある。
【課題を解決するための手段】
【０００６】
本発明の転写フィルム送り装置は、転写フィルムの送り側ロールのフィルム量と転写フィルムの巻取り側ロールのフィルム量とを対比し、この対比した結果に基づいて、送り側ロールの回転速度と巻取り側ロールの回転速度との間に、転写フィルムの張力を制御する速度差を与えて転写フィルムの張力制御を行う。したがって本発明によれば、送り側ロールのフィルム量と転写フィルムの巻取り側ロールのフィルム量を監視し、その監視結果に基づいて張力を制御するだけで、簡単に転写フィルムの弛みの発生を防止することができる。
【０００７】
本発明をより具体的に実施した転写フィルム送り装置では、転写フィルムの送り側ロールと、転写フィルムの送り側ロールを回転可能に保持するロール保持装置と、転写フィルムの送り側ロールから引き出された転写フィルムを巻き取る巻取り側ロールと、巻取り側ロールを回転させる縦送りモータと、縦マークを検出する縦マーク検出用センサと、縦送りモータの駆動を制御する縦送りモータ駆動装置とを備えている。ここで転写フィルムの送り側ロールとは、複数の転写パターンが長手方向に所定の間隔をあけて形成され、転写パターンの位置を検出するための複数の縦マークが複数の転写パターンと所定の位置関係を持って長手方向に所定の間隔をあけて形成されている転写フィルムが巻回されて構成されるものである。
【０００８】
縦送りモータ駆動装置は、縦マーク検出用センサの出力を位置検出信号として、転写フィルムの転写パターンが可動盤と金型との間の所定の停止位置で停止するように、縦送りモータを予め定めた速度指令パターンに従って駆動して巻取り側ロールを間歇的に回転させるように構成されている。そして速度指令パターンは、停止状態から高速度で縦送りモータを回転させ、縦マーク検出用センサが縦マークの存在を検出している検出状態にある期間は、高速度より低い低速度で縦送りモータを回転させ、その後縦マーク検出用センサが縦マークの存在を検出しない非検出状態になると直ちに縦送りモータを停止させるように構成されている。
【０００９】
具体的に実施した転写フィルム送り装置では、縦送りモータが高速度で回転しているときの転写フィルムの移動速度が、予め定めた速度以上になる状況にあることを判定すると速度低減信号を出力する状況判定手段をさらに備える。そしてロール保持装置は、速度低減信号が出力された以降、転写フィルムの送り側ロールの回転に対して制動を加える制動装置を備えている。この具体的な転写フィルム送り装置では、転写フィルムの送り側ロールのフィルム量と転写フィルムの巻取り側ロールのフィルム量との対比を、縦送りモータが高速度で回転しているときの転写フィルムの移動速度に基づいて実行する。すなわち縦送りモータが高速度で回転しているときの転写フィルムの移動速度が、予め定めた速度以上になる状況とは、巻取り側ロールのフィルム量が送り側ロールのフィルム量よりも多くなって、転写フィルムが停止したときに、転写フィルムが弛む状況ができていることを意味する。そこで具体的な転写フィルム送り装置では、このような状況を状況判定手段で  判定すると、制動装置が転写フィルムの送り側ロールの回転に対して制動を加えることにより、転写フィルムの張力を制御する速度差を送り側ロールの回転速度と巻取り側ロールの回転速度に与えている。このように制動装置により、送り側ロールの回転に制動を加えると、縦送りモータが、高速度で回転しているとき及び低速度で回転しているときの速度が全体的に低下し、停止時においても、転写フィルムが弛むほどの速度差が生じることがなくなる。
【００１０】
送り側ロールのためのロール保持機構は、転写フィルムの送り側ロールが保持される回転軸を備えている。制動装置としては、速度低減信号が出力されているときに、回転軸の回転に対して、電気的に制動を加える電気ブレーキを用いることができる。電気ブレーキは、制御が容易で、しかも応答速度が速いため、確実に張力制御を行うことができる。
【００１１】
状況判定手段が、速度低減信号を出力している場合に、転写フィルムの張力制御を行うために、前述の速度差を与えるために、縦送りモータ駆動装置を次のように構成することができる。すなわち縦送りモータ駆動装置を、速度低減信号が出力されるまで使用される第１の速度指令パターンと、速度低減信号が出力された以降使用される第２の速度指令パターンとを備えたものとをする。そして第２の速度指令パターンを、転写フィルムの巻取りが完全に完了するまで、転写フィルムの移動速度が予め定めた速度を超えないように高速度が低減された速度指令パターンとする。すなわち第２の速度指令パターンを用いることにより、送り側ロールの回転速度と巻取り側ロールの回転速度との間に、転写フィルムの張力を制御する速度差を与えて転写フィルムの張力制御を行う。このようにすると制動のために特別な装置を用意する必要がない。
【００１２】
また状況判定手段として、転写フィルムの送り側ロールに巻き取られた転写フィルムのフィルム径寸法及び／または巻取り側ロールに巻き取られた転写フィルムのフィルム径寸法に基づいて、前述の状況にあるか否かを判定するものを用いることができる。この状況判定手段を用いると、転写フィルムの送り側ロールのフィルム量と転写フィルムの巻取り側ロールのフィルム量とを直接対比することができる。この状況判定手段を用いる場合には、転写フィルムの送り側ロールに巻き取られた転写フィルムのフィルム径寸法が、巻取り側ロールに巻き取られた転写フィルムのフィルム径寸法よりも小さくなると、前述の状況にあると判定するようにしてもよい。このようにすると、判断基準が簡単であるため、張力制御を簡単に行うことができる。
【００１３】
また状況判定手段としては、縦送りモータの回転量を積算して積算回転量を記憶する回転量積算記憶手段と、回転量積算記憶手段が記憶する積算回転量が予め定めた基準積算回転量に達すると、前述の状況にあると判定する積算回転量判定手段とを備えたものを用いてもよい。すなわちこの状況判定手段では、転写フィルムの送り側ロールのフィルム量と転写フィルムの巻取り側ロールのフィルム量との対比を、縦送りモータの積算回転量により行う。回転軸の回転位置検出を行うエンコーダ等が縦送りモータに装着されていれば、エンコーダ等の出力を用いて、簡単に積算回転量を算出することができるので、フィルム量との対比のために特別な構造を準備する必要がなくなる。
【００１４】
さらに状況判定手段を、転写フィルムの移動速度を測定する速度検出手段と、速度検出手段が検出した速度が予め定めた速度以上になったことを検出すると以後前記速度低減信号を出力する速度低減信号発生手段とから構成してもよい。これは転写フィルムの速度は、巻取り側ロールのフィルム巻取り径が大きくなると、速くなるため、転写フィルムの速度を見ることによっても、転写フィルムの送り側ロールのフィルム量と転写フィルムの巻取り側ロールのフィルム量との対比を行えるからである。
【発明の効果】
【００１５】
本発明によれば、送り側ロールのフィルム量と転写フィルムの巻取り側ロールのフィルム量を監視し、その監視結果に基づいて張力を制御するだけで、簡単に転写フィルムの弛みの発生を防止することができる。
【発明を実施するための最良の形態】
【００１６】
以下図面を参照して本発明の転写フィルム送り装置の実施の形態を詳細に説明する。図１は、転写装置において使用される本発明の転写フィルム送り装置の実施の形態の一例の主要部の構成を概略的に示す図である。転写フィルム送り装置１は、転写フィルム２を巻回した送り側ロール３と、転写フィルム２の送り側ロール３を回転可能に保持するロール保持装置４と、転写フィルム２の送り側ロール３から引き出された転写フィルム２を巻き取る巻取り側ロール５と、巻取り側ロール５を回転させる縦送りモータ６と、縦マークを検出する縦マーク検出用センサ７と、縦送りモータ６の駆動を制御する縦送りモータ駆動装置８とを備えている。転写フィルム２は、一対のローラ部材から構成されたガイドローラ機構９、１０によってガイドされている。ロール保持装置４は、送り側ロール３を回転自在に支持する回転軸１２を備えている。回転軸１２に対しては、制動装置として用いられる電気ブレーキ１３が設けられており、電気ブレーキ１３は、制動回路１４からの制動指令に基づいて、回転軸１２の回転に対して制動をかける。制動回路１４には、状況判定手段１５から速度低減信号が入力される。状況判定手段１５には、転写フィルム２の送り側ロール３に巻き取られた転写フィルム２のフィルム径寸法Ｒ１を測定する第１の径寸法測定センサ１６からの検出信号と、巻取り側ロール５に巻き取られた転写フィルム２のフィルム径寸法Ｒ２を測定する第２の径寸法測定センサ１７からの検出信号とが入力される。第１及び第２の径寸法測定センサ１６及び１７は、共に送り側ロール３及び巻取り側ロール５に巻き取られた転写フィルムの外周面に接触する接触バー１６ａ及び１７ａと、接触バー１６ａ及び１７ａの傾斜角度を電気信号に変換して出力する信号変換部１６ｂ及び１７ｂを備えて構成されている。図１においては、転写フィルム２は、可動盤１８と金型１９との間を通過する。金型１９には、被転写製品（図示せず）が取り付けられる。そして可動盤１８には、転写フィルム２を被転写製品の表面にプレスして転写パターン箔（図２のＰ）を転写する。なお図１には示していなが、可動盤１８及び金型１９の上方の位置で転写フィルム２を横方向に移動する上横移動モータと、可動盤１８及び金型１９よりも下方の位置で転写フィルム２を横方向に移動する下横移動モータとを備えている。転写装置では、縦送りモータ６と、図示しない上横移動モータと、下横移動モータとがセットになって、転写フィルム２の送給と位置決めとが実行される。
【００１７】
図２に示すように、転写フィルム２には、複数の転写パターンＰが長手方向に所定の間隔をあけて形成されている。また転写フィルム２の一方の縁部には、転写パターンＰの位置を検出するための複数の縦マークｍが複数の転写パターンＰと所定の位置関係を持って長手方向に所定の間隔をあけて形成されている。縦マークｍは、縦マーク検出用センサ７によって読み取らる。縦マーク検出用センサ７は、光学的に縦マークｍの前端位置ＦＥと後端位置ＲＥとを読み取る光学式読み取りセンサによって構成されている。また転写フィルム２の他方の縁部には、転写フィルム２の横方向位置を決定するために使用される横マークｎが長手方向に連続して形成されている。
【００１８】
縦送りモータ駆動装置８は、縦マーク検出用センサ７の出力を位置検出信号として、転写フィルム２の転写パターンＰが可動盤１８と金型１９との間の所定の停止位置で停止するように、縦送りモータ６を予め定めた速度指令パターンＳＰに従って駆動して巻取り側ロール５を間歇的に回転させるように構成されている。ここで使用する速度指令パターンは、図５（Ａ）または（Ｂ）に示すようなパターンである。速度指令パターンＳＰは、停止状態から高速度で縦送りモータ６を回転させ（期間Ｔ１）、縦マーク検出用センサ７が縦マークｍの存在を検出している検出状態にある期間Ｔ２は、高速度より低い低速度で縦送りモータを回転させ、その後縦マーク検出用センサ７が縦マークｍの存在を検出しない非検出状態になると直ちに縦送りモータを停止させるように構成されている。
【００１９】
図１に戻って、状況判定手段１５は、縦送りモータ６が高速度で回転しているときの転写フィルム２の移動速度が、予め定めた速度以上になる状況にあることを判定すると制動回路１４に速度低減信号を出力する。そして制動装置として電気ブレーキ１３には、状況判定手段１５から速度低減信号が出力された以降、転写フィルム２の送り側ロール３の回転に対して制動を加える。すなわち送り側ロール３の回転軸１２に制動を加えて、縦送りモータ６の負荷を増加し、結果として転写フィルム２の速度を遅くすることにより、転写フィルムに加わる張力を強くする。転写フィルム２の縦送り速度が必要以上に大きくなると、停止時までの時間が同じであるとすると、転写フィルムの停止時に、転写フィルムが送り出され過ぎて、弛むようになる。そこでこの例では、縦送りモータ６が高速度で回転しているときの転写フィルム２の移動速度が、予め定めた速度以上になる状況にあることを状況判定手段１５が判定すると、制動回路１４から制動指令を出力して電動ブレーキを動作させることにより縦送り速度を低減する。本実施の形態では、転写フィルム２の送り側ロール３のフィルム量と転写フィルム２の巻取り側ロール５のフィルム量との対比から、縦送りモータ６が高速度で回転しているときの転写フィルム２の移動速度が予め定めた速度以上になる状況ができていると状況判断手段１５が判断する。
【００２０】
そこで本実施の形態では、第１及び第２の径寸法測定センサ１６及び１７は、転写フィルム２の送り側ロール３のフィルム量と転写フィルム２の巻取り側ロール５のフィルム量を接触バー１６ａ及び１７ａの傾斜角度として検出する。すなわち傾斜角度が大きいときには、フィルム量が多く、ロールに巻回されたフィルムの半径が大きいことを検出できる。また傾斜角度が小さいときには、フィルム量が少なくなって、ロールに巻回されたフィルムの半径が小さくなっていることを検出できる。図３（Ａ）及び（Ｂ）に示すように、接触バー１６ａ及び１７ａの傾斜角度θ１及びθ２は、信号変換部１６ｂ及び１７ｂによって電気信号に変換されて、状況判定手段１５に入力される。縦送りモータ６が高速度で回転しているときの転写フィルム２の移動速度が、予め定めた速度以上になる状況ができていることは、巻取り側ロール５のフィルム量が送り側ロール３のフィルム量よりも多くなって、転写フィルム２が停止したときに、転写フィルム２が弛む状況ができていることを意味する。そこでこの転写フィルム送り装置では、このような状況を第１及び第２の径寸法測定センサ１６及び１７の出力に基づいて状況判定手段１５が判断する。一例としては、第１の径寸法測定センサ１６が検出する送り側ロール３のフィルムの半径Ｒ１（傾斜角度θ１）が、第２の径寸法測定センサ１７が検出する巻取り側ロール５のフィルムの半径Ｒ２（傾斜角度θ２）よりも小さくなったこと［図３（Ｃ）］を、縦送りモータ６が高速度で回転しているときの転写フィルム２の移動速度が、予め定めた速度以上になる状況が発生していることと判断する。どの程度、半径Ｒ１（または傾斜角度θ１）が半径Ｒ２（または傾斜角度θ２）よりも小さくなったときを、判断基準とするかは、縦送りモータ６の回転速度、転写フィルムの材質等を考慮して適宜に定めることになる。
【００２１】
本実施の形態では、制動装置としての電動ブレーキ１３が、転写フィルムの送り側ロール３の回転軸１２の回転に対して制動を加えることにより、転写フィルム２の張力を制御する速度差を送り側ロール３の回転速度と巻取り側ロール５の回転速度とに与えている。このように制動装置により、送り側ロール３の回転に制動を加えると、縦送りモータ６が、高速度で回転しているとき及び低速度で回転しているときの速度が全体的に低下し、停止時においても、転写フィルム２が弛むほどの速度差が生じることがなくなる。すなわち張力の制御が行われることになる。
【００２２】
図４は、縦送りモータ駆動装置８による縦送りモータ６の駆動制御を、マイクロコンピュータを利用して実施する場合に用いるプログラムの一例における１回の縦送り動作のアルゴリズムを示すフローチャートである。この例では転写フィルム２の縦送りをできるだけ速くするために、高速移動を実施し、その後低速移動を実施する。特に、高速移動を実行した場合には、本実施の形態における張力制御のための制動動作は効果的である。このアルゴリズムでは、速度指令パターンに従って、まずステップＳＴ１で転写フィルムを第１の速度（略３６０ｍｍ/sec)で移動させる。そして予め定めた減速指令ポイントまで転写フィルムが移動すると（ステップＳＴ２）、第１の速度から第２の速度（略７０ｍｍ/sec)へと速度変更が実施される（ステップＳＴ３及びＳＴ４）。尚減速指令ポイントの判定は、縦送りモータの制御を行うためにモータの回転軸に装着されている回転位置検出としてのエンコーダの出力に基づいて、判定することができる。ステップＳＴ３で高速移動が変更されると、その後速度指令パターンに従って転写フィルムを低速移動させる（ステップＳＴ４)。転写フィルムの縦送りが低速移動に移ると、縦マーク検出用センサ７による縦マークｍ（いわゆるマーキング）の前端ＦＥの検出が開始される（ステップＳＴ５）。ステップＳＴ６で、縦マークｍ（マーキング）の前端ＦＥが検出されると、ステップＳＴ７で、転写フィルム２の送りの更なる低速化が実行される。そしてステップＳＴ８で、縦マークｍ（いわゆるマーキング）の後端ＲＥの検出が開始される。ステップＳＴ９で縦マークｍ（マーキング）の後端ＲＥが検出されると、ステップＳＴ１０で縦送りが停止される。
【００２３】
上記の実施の形態では、電動ブレーキ１４によって、送り側ロール３の回転速度と巻取り側ロール５の回転速度との間に、転写フィルム２の張力を制御する速度差を与えている。しかしながら状況判定手段１５が、速度低減信号を出力している場合に、転写フィルムの張力制御を行うために、前述の速度差を発生させる方法は、上記実施の形態に限定されるものではない。例えば、縦送りモータ駆動装置８を次のように構成してもよい。すなわち縦送りモータ駆動装置８を、状況判定手段１５から速度低減信号が出力されるまで使用される第１の速度指令パターンと、速度低減信号が出力された以降使用される第２の速度指令パターンとを備えたものとして構成する。すなわち速度低減信号が出力されると、使用する速度指令パターンを第１の速度指令パターンから第２の速度指令パターンに変更する。図５（Ａ）及び（Ｂ）は、第１の速度指令パターンと第２の速度指令パターンの例を示している。この例では、第２の速度指令パターン［図５（Ｂ）］を、転写フィルム２の巻取りが完全に完了するまで、転写フィルム２の移動速度が予め定めた速度を超えないように高速度が、第１の速度指令パターン［図５（Ａ）］の高速度よりも低減された速度指令パターンとなっている。すなわち送り側ロール３のフィルムの量が少なくなってきたときには、第２の速度指令パターンを用いることにより、送り側ロール３の回転速度と巻取り側ロール５の回転速度との間に、転写フィルム２の張力を制御する速度差を与えて転写フィルムの張力制御を行うことが可能になる。このようにすると制動のために特別な装置を用意する必要がない。
【００２４】
また状況判定手段１５としては、図６（Ａ）に示すようなものを用いても良い。この状況判定手段１５では、縦送りモータ６の回転量をエンコーダ２１で検出して、この回転量を回転量積算記憶手段２２により積算し、積算回転量を記憶する。そして積算回転量判定手段２３は、回転量積算記憶手段２２が記憶する積算回転量が予め定めた基準積算回転量に達すると、前述の状況（すなわち縦送りモータ６が高速度で回転しているときの転写フィルムの移動速度が、予め定めた速度以上になる状況）にあると判定する。この判定結果を受けて速度低減信号発生手段２４は速度低減信号を出力する。すなわちこのような構成の状況判定手段１５では、転写フィルム２の送り側ロール３のフィルム量と転写フィルム２の巻取り側ロール５のフィルム量との対比を、縦送りモータ６の積算回転量により行う。
【００２５】
さらに状況判定手段１５を、図６（Ｂ）に示すように、転写フィルムの移動速度を測定する速度検出手段３１と、速度検出手段３１が検出した移動速度が予め定めた速度以上になったか否かを判定する速度判定手段３２と、速度判定手段３２が転写フィルムの移動速度が予め定めた速度以上になったことを検出すると、以後速度低減信号を出力する速度低減信号発生手段３３とから構成してもよい。これは転写フィルム２の速度は、巻取り側ロール５のフィルム巻取り径が大きくなると、速くなるため、転写フィルム２の速度を見ることによっても、転写フィルム２の送り側ロール３のフィルム量と転写フィルムの巻取り側ロール５のフィルム量との対比を行えるからである。
【００２６】
以下、本願明細書及び図面に開示した各種の発明の構成要件を列挙する。
【００２７】
（１）  複数の転写パターンが長手方向に所定の間隔をあけて形成され、前記転写パターンの位置を検出するための複数の縦マークが前記複数の転写パターンと所定の位置関係を持って前記長手方向に所定の間隔をあけて形成されている転写フィルムが巻回されてなる転写フィルムの送り側ロールと、
前記転写フィルムの送り側ロールを回転可能に保持するロール保持装置と、
前記転写フィルムの送り側ロールから引き出された前記転写フィルムを巻き取る巻取り側ロールと、
前記巻取り側ロールを回転させる縦送りモータと、
前記縦マークを検出する縦マーク検出用センサと、
前記縦マーク検出用センサの出力を位置検出信号として、前記転写フィルムの前記転写パターンが可動盤と金型との間の所定の停止位置で停止するように、前記縦送りモータを予め定めた速度指令パターンに従って駆動して前記巻取り側ロールを間歇的に回転させる縦送りモータ駆動装置とを備え、
前記速度指令パターンが、停止状態から高速度で前記縦送りモータを回転させ、前記縦マーク検出用センサが前記縦マークの存在を検出している検出状態にある期間は、前記高速度より低い低速度で前記縦送りモータを回転させ、その後前記縦マーク検出用センサが前記縦マークの存在を検出しない非検出状態になると直ちに前記縦送りモータを停止させるように構成されている転写フィルム送り装置であって、
前記縦送りモータが前記高速度で回転しているときの前記転写フィルムの移動速度が、予め定めた速度以上になる状況にあることを判定すると速度低減信号を出力する状況判定手段をさらに備え、
前記ロール保持装置は、前記速度低減信号が出力された以降、前記転写フィルムの送り側ロールの回転に対して制動を加える制動装置を備えていることを特徴とする転写フィルム送り装置。
【００２８】
（２）  前記ロール保持機構は、前記転写フィルムの送り側ロールが保持される回転軸を備えており、前記制動装置が、前記回転軸の回転に対して、前記速度低減信号が出力されているときに電気的に前記制動を加える電気ブレーキである上記（１）に記載の転写フィルム送り装置。
【００２９】
（３）  複数の転写パターンが長手方向に所定の間隔をあけて形成され、前記転写パターンの位置を検出するための複数の縦マークが前記複数の転写パターンと所定の位置関係を持って前記長手方向に所定の間隔をあけて形成されている転写フィルムが巻回されてなる転写フィルムの送り側ロールと、
前記転写フィルムの送り側ロールから引き出された前記転写フィルムを巻き取る巻取り側ロールと、
前記巻取り側ロールを回転させる縦送りモータと、
前記縦マークを検出する縦マーク検出用センサと、
前記縦マーク検出用センサの出力を位置検出信号として、前記転写フィルムの前記転写パターンが可動盤と金型との間の所定の停止位置で停止するように、前記縦送りモータを予め定めた速度指令パターンに従って駆動して前記巻取り側ロールを間歇的に回転させる縦送りモータ駆動装置とを備え、
前記速度指令パターンが、停止状態から高速度で前記縦送りモータを回転させ、前記縦マーク検出用センサが前記縦マークの存在を検出している検出状態にある期間は、前記高速度より低い低速度で前記縦送りモータを回転させ、その後前記縦マーク検出用センサが前記縦マークの存在を検出しない非検出状態になると直ちに前記縦送りモータを停止させるように構成されている転写フィルム送り装置であって、
前記縦送りモータが前記高速度で回転しているときの前記転写フィルムの移動速度が、予め定めた速度以上になる状況にあることを判定すると速度低減信号を出力する状況判定手段をさらに備え、
前記縦送りモータ駆動装置は、前記速度低減信号が出力されるまで使用される第１の速度指令パターンと、前記速度低減信号が出力された以降使用される第２の速度指令パターンとを備えており、前記第２の速度指令パターンが、前記転写フィルムの巻取りが完全に完了するまで前記転写フィルムの前記移動速度が前記予め定めた速度を超えないように前記高速度が低減された速度指令パターンであることを特徴とする転写フィルム送り装置。
【００３０】
（４）  前記状況判定手段は、前記転写フィルムの送り側ロールに巻き取られた前記転写フィルムのフィルム径寸法及び／または前記巻取り側ロールに巻き取られた前記転写フィルムのフィルム径寸法に基づいて、前記状況にあるか否かを判定することを特徴とする被y儒（１）または（３）に記載の転写フィルム送り装置。
【００３１】
（５）  前記状況判定手段は、前記転写フィルムの送り側ロールに巻き取られた前記転写フィルムのフィルム径寸法が、前記巻取り側ロールに巻き取られた前記転写フィルムのフィルム径寸法よりも小さくなると、前記状況にあると判定することを特徴とする上記（４）に記載の転写フィルム送り装置。
【００３２】
（６）  前記状況判定手段は、前記縦送りモータの回転量を積算して積算回転量を記憶する回転量積算記憶手段と、前記回転量積算記憶手段が記憶する前記積算回転量が予め定めた基準積算回転量に達すると、前記状況にあると判定する積算回転量判定手段とを備えていることを特徴とする上記（１）または（３）に記載の転写フィルム送り装置。
【００３３】
（７）  前記状況判定手段は、前記転写フィルムの前記移動速度を測定する速度検出手段と、前記速度検出手段が検出した速度が前記予め定めた速度以上になったことを検出すると以後前記速度低減信号を出力する速度低減信号発生手段とからなる上記（１）または（３）に記載の転写フィルム送り装置。
【図面の簡単な説明】
【００３４】
【図１】転写装置において使用される本発明の転写フィルム送り装置の実施の形態の一例の主要部の構成を概略的に示す図である。
【図２】転写フィル上のパターンの一例を示す図である。
【図３】（Ａ）乃至（Ｃ）は、径寸法測定センサを利用した測定情況を説明するために用いる図である。
【図４】縦送りモータ駆動装置による縦送りモータの駆動制御を、マイクロコンピュータを利用して実施する場合に用いるプログラムの一例における１回の縦送り動作のアルゴリズムを示すフローチャートである。
【図５】（Ａ）及び（Ｂ）は第１及び第２の速度指令パターンの例を示す図である。
【図６】（Ａ）及び（Ｂ）は、状況判定手段の異なる構成を示すブロック図である。
【符号の説明】
【００３５】
１  転写フィルム送り装置
２  転写フィルム
３  送り側ロール
４  ロール保持装置
５  巻取り側ロール
６  縦送りモータ
７  縦マーク検出用センサ
８  縦送りモータ駆動装置
９，１０  ガイドローラ機構
１２  回転軸
１３  電気ブレーキ
１４  制動回路
１５  状況判定手段
１６  第１の径寸法測定センサ
１７  第２の径寸法測定センサ
【図１】
2008257303.tif 000003
【図２】
2008257303.tif 000004
【図３】
2008257303.tif 000005
【図４】
2008257303.tif 000006
【図５】
2008257303.tif 000007
【図６】
2008257303.tif 000008